(57)【要約】【課題】下部ランプユニットを回動自在に支持している回動軸が前方から見えないようにして、見栄えを良好にすることを課題とする。【解決手段】光源バルブ５２とリフレクタ５１から成る上部ランプユニット５０の下側に光源バルブ６２とリフレクタ６１から成る下部ランプユニット６０を配置し、上記下部ランプユニットを支持部材（フレーム）７０の支持片７２、７３に回動軸６３、６４を中心に回動可能に支持し、上記支持片７２の前端部中央部と上部回動軸６３を上部ランプユニットに設けたシェード５３の一部５３ｆによって前方に対して覆う。【選択図】        図１
2004178966.tif 000002
【特許請求の範囲】
【請求項１】
光源とリフレクタから成る上部ランプユニットの下側に光源とリフレクタから成る下部ランプユニットを配置し、
上記下部ランプユニットを支持部材に回動軸を中心に回動可能に支持し、
上記支持部材又は回動軸を覆う遮蔽部材を上部ランプユニットに設けた
ことを特徴とする車輌用前照灯。
【請求項２】
上記下部ランプユニットの上面及び下面に回動中心となる回動軸が設けられ、
上記支持部材又は前記上面の回動軸を覆う遮蔽部材は、上部ランプユニットのリフレクタの下面である
ことを特徴とする請求項１に記載の車輌用前照灯。
【請求項３】
上記下部ランプユニットの上面及び下面に回動中心となる回動軸が設けられ、
上記支持部材又は回動軸を覆う遮蔽部材は、上記ランプユニットの光源の前方を覆うシェードである
ことを特徴とする請求項１に記載の車輌用前照灯。
【請求項４】
光源とリフレクタから成る上部ランプユニットの下側に光源とリフレクタから成る下部ランプユニットを配置し、
上記下部ランプユニットを支持部材に回動軸を中心に回動可能に支持し、
前記ランプユニットの前端部を覆うように設けられたエクステンションにより上記支持部材又は回動軸を覆うようにした
ことを特徴とする車輌用前照灯。
【発明の詳細な説明】
【０００１】
【発明の属する技術分野】
本発明は新規な車輌用前照灯に関する。詳しくは、上下２つのランプユニットを備え、下部ランプユニットが回動可能に構成された車輌用前照灯において、見栄えを良好にする技術に関する。
【０００２】
【従来の技術】
上下２つのランプユニットを備え、下部ランプユニットが回動可能に構成された車輌用前照灯がある。例えば、下部ランプユニットをステアリング操作に応動して左右に回動させ、自車輌の進行方向を確実に照明するようにした車輌用前照灯が提案されている（特許文献１参照）。
【０００３】
【特許文献１】
特開２００２−１４０９０７号公報
【０００４】
【発明が解決しようとする課題】
ところで、ランプユニットを回動自在に構成するためには、該ランプユニットの回動中心となる回動軸が必要である。
【０００５】
ところが、従来の車輌用前照灯にあっては、上記回動軸を前方に対して覆うものがなかったので、レンズや前面カバーを通して下部ランプユニットを回動自在に支持している回動軸が見えてしまい、車輌用前照灯の見栄えを損ねるという問題があった。
【０００６】
特に、車輌用前照灯として必要な配光パターンをリフレクタの工夫した反射面によって形成したり、プロジェクタタイプの前照灯のように、シェードによって形成したりして、配光パターンの形成にはレンズはほとんど関与しない前照灯にあっては、前面カバー（レンズ）を透して内部があからさまに見えてしまうので、上記回動軸が見えてしまうことによる見栄えの悪化は著しいものがある。
【０００７】
そこで、本発明は、下部ランプユニットを回動自在に支持している回動軸が前方から見えないようにして、見栄えを良好にすることを課題とする。
【０００８】
【課題を解決するための手段】
本発明車輌用前照灯は、上記した課題を解決するために、光源とリフレクタから成る上部ランプユニットの下側に光源とリフレクタから成る下部ランプユニットを配置し、上記下部ランプユニットを支持部材に回動軸を中心に回動可能に支持し、上記フレーム又は回動軸を覆う遮蔽部材を上部ランプユニットに設けたものである。
【０００９】
また、別の本発明車輌用前照灯は、上記した課題を解決するために、光源とリフレクタから成る上部ランプユニットの下側に光源とリフレクタから成る下部ランプユニットを配置し、上記下部ランプユニットを支持部材に回動軸を中心に回動可能に支持し、前記ランプユニットの前端部を覆うように設けられたエクステンションにより上記支持部材又は回動軸を覆うようにしたものである。
【００１０】
従って、本発明車輌用前照灯にあっては、支持部材又は回動軸が前方から見えることがないので、見栄えが良好になる。
【００１１】
【発明の実施の形態】
以下に、本発明車輌用前照灯の実施の形態を添付図面を参照して説明する。なお、図示した実施の形態は何れも本発明を自動車用の前照灯に適用したものである。
【００１２】
図１乃至図５は本発明車輌用前照灯の第１の実施の形態を示すものである。
【００１３】
図１で分かるように、自動車用前照灯１０は前面が開口したランプボディ２０の前面が透明な前面カバー３０によって覆われて形成された外囲器４０内に２つのランプユニット５０、６０が上下に配置されて成る。
【００１４】
上部ランプユニット５０はリフレクタ５１と該リフレクタ５１に支持された光源バルブ５２と光源バルブ５２の前面側を覆うシェード５３とから成る。そして、リフレクタ５１がランプボディ２０に支持された支持部材であるフレーム７０に支持される。
【００１５】
上記フレーム７０の上半部には大きな開口７１が形成され、また、フレーム７０の下半部には上下に離間して２つの支持片７２、７３が前方に向けて突出されており、フレーム７０の上半部に上部ランプユニット５０が支持され、支持片７１、７２の間に下部ランプユニット６０が左右に回動自在に支持される。
【００１６】
図３で分かるように、上部ランプユニット５０のリフレクタ５１の外側面にはネジボス５１ｂ、５１ｂ、・・・が形成され（一方の外側面のもののみ示す）、フレーム７０の開口７１の開口縁部に形成されたネジ挿通孔７４、７４、・・・を後方から挿通されたネジ７４ａ、７４ａ、・・・がリフレクタ５１のネジボス５１ｂ、５１ｂ、・・・に螺着され、これによってリフレクタ５１がフレーム７０に支持される。
【００１７】
図３で分かるように、下部ランプユニット６０はリフレクタ６１と該リフレクタ６１に支持された光源バルブ６２とから成り、リフレクタ６１の上面部６１ａから上方へ突出した上部回動軸６３と下面部６１ｂから下方へ突出した下部回動軸６４とによって、上記支持片７２、７３に回動自在に支持される。すなわち、上部回動軸６３は上側の支持片７２の前端寄りの位置に上方へ突出した状態で回動自在に支持され、また、下部回動軸６４は下側の支持片７３の前端寄りの位置に下方へ突出した状態で回動自在に支持される。そして、上部ランプユニット５０のリフレクタ５１の下面部５１ａの前端部のほぼ中央部には切欠５１ｃが形成されており、上部回動軸６３の支持片７２から上方へ突出した部分６３ａは上記切欠５１ｃ内に位置している（図４参照）。また、下部回動軸６４の支持片７３から下方へ突出した部分には下方に開口した円形の凹部６４ａが形成され（図１参照）、該凹部６４ａの内周面には図示しない凹条が形成されて、いわゆるスプライン軸受状に形成されている。
【００１８】
上記シェード５３は、図５で詳細に示すように、中間部分である筒部５３ａと該筒部５３ａの上下両端から後方へ突出した脚部５３ｂ、５３ｃと筒部５３ａの前端に連続したキャップ部５３ｄとが一体又は一体的に形成されて成り、筒部５３ａの上面部には開口５３ｅが形成され、また、キャップ部５３ｄの下端部には筒部５３ａの下端より下方に突出し、且つ、筒部５３ａの前端部を下方から覆うように形成された覆い部５３ｆが連設されている。
【００１９】
そして、図１で分かるように、上記シェード５３の脚部５３ｂ、５３ｃの後端部がリフレクタ５１に支持され、これによって、筒部５３ａが光源バルブ５２の周囲を覆い、キャップ部５３ｄが光源バルブ５２の前側を覆うように位置され、さらに、覆い部５３ｆがフレーム７０の上側の支持片７２及び下部ランプユニット６０のリフレクタ６１の上面部６１ａの前端部のほぼ中央部を前方から覆うように位置される。これによって、下部ランプユニット６０の上部回動軸６３及び上部ランプユニット５０のリフレクタ５１の下面部５１ａの切欠５１ｃは前方に対して覆われることになり（図２参照）、前面カバー３０を透して見えなくなる。そのため、自動車用前照灯１０の見栄えが良くなる。
【００２０】
上記下部ランプユニット６０はスイブル駆動部８０によって左右に回動される。
【００２１】
スイブル駆動部８０は、ケース８１内にモータ等の駆動源を有し、該駆動源がステアリング操作に応動して、又は、運転室からの遠隔操作によって駆動されるようになっている。図３で分かるように、ケース８１の上面から出力軸８２が上方へ突出され、該出力軸８２が駆動源の駆動によって回転されるようになっている。そして、上記出力軸８２は周面に軸方向に延びる突条が突設されたスプライン軸状を成している。
【００２２】
図３で分かるように、上記スイブル駆動部８０は上記フレーム７０の下側の支持片７３の下面に固定される。すなわち、スイブル駆動部８０のケース８１の両側面からは被取付片８３、８３（一方の側面のもののみ示す）が突設され、該被取付片８３、８３のネジ挿通孔８３ａ、８３ａを下方から挿通されたネジ８４、８４が上記支持片７３の下面に突設されたネジボス７５、７５（一方のもののみ示す）に螺着され（図１参照）、これによってスイブル駆動部８０がフレーム７０に固定される。そして、スイブル駆動部８０のの出力軸８２がフレーム７０の下側支持片７３の先端部に形成された切欠７３ａを通して下方に突出している下部ランプユニット６０の下部回動軸６４の凹部６４ａに内嵌状に連結される。この時、出力軸８２に形成された突条が下部回動軸６４の凹部６４ａに形成された凹状と係合される。従って、スイブル駆動部８０の駆動源が駆動されることによって、下部ランプユニット６０は左右に回動され、これによって、下部ランプユニット６０の照射方向が左右に変更されることになる。
【００２３】
上記したフレーム７０はランプボディ２０に傾動可能に支持される。
【００２４】
図３で分かるように、上記フレーム７０には上端部の左右にそれぞれ一つずつと向かって右下に一つの取付孔７６、７６、７６が形成されている。
【００２５】
そして、向かって右下の取付孔７６にはボール受体９０が支持される。ボール受体９０は合成樹脂で形成され、後端に開口した図示しない球状の凹部が形成されている。
【００２６】
フレーム７０の向かって右上及び左上の取付孔７６、７６にはピボット受体１００、１００が支持される。ピボット受体１００も合成樹脂で形成されており、後端に開口した図示しない球状の凹部が形成されている。
【００２７】
上記ピボット受体１００、１００にはピボット体１０１、１０１が支持される。ピボット体１０１は球状の外形をしており、中心を通って径方向に貫通した螺孔１０１ａと外周面から径方向に突出した係合ピン１０１ｂを有している。該ピボット体１０１は上記ピボット受体１００の球状凹部に回転可能に受け入れられ、且つ、係合ピン１０１ｂがピボット受体１００の図示しない球状凹部にほぼ前後方向に延びて形成された摺動溝に摺動可能に係合されている。これによって、ピボット体１０１はピボット受体１００に対して係合ピン１０１ｂの軸周り方向及び摺動方向に回転可能に支持される。
【００２８】
ランプボディ２０の後部の向かって右上の部分及び左上の部分には調整軸１１０、１１０が回転自在に支持され、該調整軸１１０、１１０の螺軸部１１１、１１１が上記フレーム７０の右上及び左上に支持されたピボット体１０１、１０１の螺孔１０１ａ、１０１ａに螺合される。これによって、フレーム７０の向かって右上及び左上の部分は、調整軸１１０、１１０の回転操作により、ランプボディ２０の後部との間を間隔調整可能に支持される。
【００２９】
ランプボディ２０の後部の向かって右下の位置にはレベリング駆動部１２０が支持される。該レベリング駆動部１２０はケース体１２１内にモータ等から成る駆動源を有し、該駆動源の駆動によってケース体１２１の前端から突出されたレベリング軸１２２が前後方向に移動されるようになっている。そして、レベリング軸１２２の前端に形成されたボール体１２２ａが上記フレーム７０の向かって右下に支持されたボール受体９０の球状凹部に嵌合される。
【００３０】
フレーム７０はランプボディ２０に上記したようにして傾動可能に支持されているので、調整軸１１０、１１０の一方を回転操作することによって、フレーム７０が左右方向に傾動され、従って、フレーム７０に支持されている上部ランプユニット５０及び下部ランプユニット６０によるビームの照射軸が左右で傾動される。また、レベリング駆動部１２０が駆動されると、フレーム７０が上下方向に傾動し、従って、上部ランプユニット５０及び下部ランプユニット６０によるビームの照射軸が上下方向で傾動される。なお、調整軸１１０、１１０を同じ方向に、且つ、同じ量だけ回転操作すると、フレーム７０が上下方向に傾動される。
【００３１】
図６及び図７は本発明の第２の実施の形態に係る自動車用前照灯１０Ａを示すものである。なお、この第２の実施の形態にかかる自動車用前照灯１０Ａは下部ランプユニット６０の上部回転軸６３を前方に対して遮蔽する手段が上記自動車用前照灯１０と異なるのみで、その他の部分は上記自動車用前照灯１０と同様であるので、上記自動車用前照灯１０におけると同様の部分には上記自動車用前照灯１０における同様の部分に付した符号と同じ符号を付して説明を省略する。
【００３２】
上部ランプユニット５０Ａは、上記した上部ランプユニット５０と同様に、リフレクタ５１Ａに光源バルブ５２が支持され、該光源バルブ５２の前方及び周囲がシェード１３０によって覆われて成る。
【００３３】
しかしながら、リフレクタ５１Ａの下面部５１Ａａはフレーム７０の上側の支持片７２よりも前方まで延びており、さらに、該下面部５１Ａａの前端部５１Ａｂは前方斜め下方へ延びるように折り曲げられて遮蔽縁とされている。そして、この遮蔽縁５１Ａｂが支持片７２の前端を前方に対して覆うように位置しており、従って、該支持片７２から上方へ突出している下部ランプユニット６０の上部回動軸６３の上方突出部６３ａも上記遮蔽縁５１Ａｂによって前方に対して遮蔽されることになる。
【００３４】
この第２の実施の形態にかかる自動車用前照灯１０Ａにあっても、下部ランプユニット６０の上部回動軸６３が前面カバー３０を透して前方から見えることが無く（図７参照）、見栄えが良くなる。
【００３５】
図８及び図９は本発明の第３の実施の形態に係る自動車用前照灯１０Ｂを示すものである。なお、この第３の実施の形態にかかる自動車用前照灯１０Ｂは下部ランプユニット６０の上部回転軸６３を前方に対して遮蔽する手段が上記自動車用前照灯１０と異なるのみで、その他の部分は上記自動車用前照灯１０と同様であるので、上記自動車用前照灯１０におけると同様の部分には上記自動車用前照灯１０における同様の部分に付した符号と同じ符号を付して説明を省略する。
【００３６】
この自動車用前照灯１０Ｂには化粧部材として枠状をしたエクステンション１４０が設けられている。エクステンション１４０は２つのランプユニット５０及び６０とランプボディ２０との間の部分を前方に対して遮蔽する枠状部分１４１とほぼ中央部を水平方向に横切る桟状部分１４２とを備え、桟状部分１４２が上部リフレクタ５１の下面部７１ａの前端、支持片７２の前端及び下部リフレクタ６１の上面部６１ａの前端を前方に対して覆うように位置している。
【００３７】
従って、この第３の実施の形態にかかる自動車用前照灯１０Ｂにあっては、下部ランプユニット６０の上部回動軸６３がエクステンション１４０の桟状部分１４２によって覆われるため（図９参照）、前面カバー３０を透して該回動軸６３が見えることが無く、見栄えが良くなる。
【００３８】
なお、この自動車用前照灯１０Ｂにおいて、上部ランプユニット５０のシェードには下部ランプユニット６０の上部回動軸６３を覆うという機能は必要でないので、単に光源バルブ５２の前方等を覆うだけのシェード１３０が設けられる（図８参照）。
【００３９】
また、上記した各実施の形態において示した各部の形状及び構造は、何れも本発明を実施するに際して行う具体化のほんの一例を示したものに過ぎず、これらによって本発明の技術的範囲が限定的に解釈されることがあってはならないものである。
【００４０】
【発明の効果】
以上に記載したところから明らかなように、本発明車輌用前照灯は、光源とリフレクタから成る上部ランプユニットの下側に光源とリフレクタから成る下部ランプユニットを配置し、上記下部ランプユニットを支持部材に回動軸を中心に回動可能に支持し、上記支持部材又は回動軸を覆う遮蔽部材を上部ランプユニットに設けたことを特徴とする。
【００４１】
また、別の本発明車輌用前照灯は、光源とリフレクタから成る上部ランプユニットの下側に光源とリフレクタから成る下部ランプユニットを配置し、上記下部ランプユニットを支持部材に回動軸を中心に回動可能に支持し、前記ランプユニットの前端部を覆うように設けられたエクステンションにより上記支持部材又は回動軸を覆うようにしたことを特徴とする。
【００４２】
従って、本発明車輌用前照灯にあっては、支持部材又は回動軸が前方から見えることがないので、見栄えが良好になる。
【図面の簡単な説明】
【図１】図２乃至図５と共に本発明車輌用前照灯の第１の実施の形態を示すものであり、本図は縦断面図である。
【図２】前面カバーを除去した状態で示す正面図である。
【図３】要部の分解斜視図である。
【図４】下部ランプユニットの上部回動軸の近辺を示す斜視図である。
【図５】シェードの拡大斜視図である。
【図６】図７と共に本発明車輌用前照灯の第２の実施の形態を示すものであり、本図は縦断面図である。
【図７】前面カバーを除去した状態で示す正面図である。
【図８】図９と共に本発明車輌用前照灯の第３の実施の形態を示すものであり、本図は縦断面図である。
【図９】前面カバーを除去した状態で示す正面図である。
【符号の説明】
１０…自動車用前照灯（車輌用前照灯）、５０…上部ランプユニット、５１…リフレクタ、５２…光源バルブ、５３…シェード（遮蔽部材）、６０…下部ランプユニット、６１…リフレクタ、６１ａ…上面部（リフレクタの上面）、６１ｂ…下面部（リフレクタの下面）、６２…光源バルブ、６３…上部回動軸（回動軸）、６４…下部回動軸（回動軸）、７０…フレーム（支持部材）、１０Ａ…自動車用前照灯（車輌用前照灯）、５０Ａ…上部ランプユニット、５１Ａ…リフレクタ、５１Ａａ…下面部（リフレクタの下部、遮蔽部材）、１０Ｂ…自動車用前照灯（車輌用前照灯）、１４０…エクステンション
【図１】
2004178966.tif 000003
【図２】
2004178966.tif 000004
【図３】
2004178966.tif 000005
【図４】
2004178966.tif 000006
【図５】
2004178966.tif 000007
【図６】
2004178966.tif 000008
【図７】
2004178966.tif 000009
【図８】
2004178966.tif 000010
【図９】
2004178966.tif 000011